(57)【要約】【課題】  バーコード及びＲＦ−ＩＤを組み合わせて、簡便な操作手順で異なる処理を行う。【解決手段】  媒体に設けられたバーコード３０１とＲＦ−ＩＤタグ３１１とが、バーコードリーダ２及びＲＦ−ＩＤリーダ３の情報読み取り可能範囲にあるときに、サービス端末１の情報処理機能部がバーコードリーダ２及びＲＦ−ＩＤリーダ３の読み取り動作を制御する。情報処理機能部の読み取り動作の制御はバーコードリーダ２とＲＦ−ＩＤリーダ３とで並行にして行ったり、一方の読み取り動作の制御を行った後に他方の読み取り動作の制御を行うことができる。【選択図】      図１
2005267627.tif 000002
【特許請求の範囲】
【請求項１】
バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードから第１情報を読み取るバーコード読み取り手段と、
前記ＲＦ−ＩＤタグから第２情報を読み取るＲＦ−ＩＤ読み取り手段と、
前記バーコード読み取り手段を用いて前記第１情報を読み取る第１の制御と、前記ＲＦ−ＩＤ読み取り手段を用いて前記第２情報を読み取る第２の制御とを行う制御手段とを有し、
前記制御手段は、前記バーコードと前記ＲＦ−ＩＤタグとが、前記バーコード読み取り手段及び前記ＲＦ−ＩＤ読み取り手段の情報読み取り可能範囲にあるときに、前記第１の制御と前記第２の制御とを行う情報処理装置。
【請求項２】
請求項１記載の情報処理装置において、前記制御手段は、前記第１の制御と前記第２の制御とを並行して行う情報処理装置。
【請求項３】
請求項１記載の情報処理装置において、前記制御手段は、前記第１の制御と前記第２の制御のうちのいずれか一方の制御を行った後に、前記第１の制御と前記第２の制御のうちの他方の制御を行う情報処理装置。
【請求項４】
請求項２記載の情報処理装置において、前記制御手段は、並行して行われた前記第１及び第２の制御により読み取られた前記第１情報と前記第２情報のうちの一方の情報に基づいて、該一方の情報と、前記第１情報と前記第２情報のうちの他方の情報とが関連づけられるか否かの判断を行う情報処理装置。
【請求項５】
請求項３記載の情報処理装置において、前記制御手段は、前記第１の制御と前記第２の制御のうちのいずれか一方の制御より読み取られた第１情報又は第２情報に基づいて、前記他方の制御を行うか否かの判断を行う情報処理装置。
【請求項６】
請求項２記載の情報処理装置において、前記制御手段は、並行して行われた前記第１及び第２の制御により読み取られた前記第１情報と前記第２情報のうちの一方の情報を出力し、該一方の情報と、前記第１情報と前記第２情報のうちの他方の情報との関連づけに関する情報を受ける情報処理装置。
【請求項７】
請求項３記載の情報処理装置において、前記制御手段は、前記第１の制御と前記第２の制御のうちのいずれか一方の制御より読み取られた第１情報又は第２情報を出力し、出力された第１情報又は第２情報と前記他方の制御により読み取られるべき第１情報又は第２情報との関連づけに関する情報を受け、前記他方の制御を行うか否かの判断を行う情報処理装置。
【請求項８】
請求項１記載の情報処理装置において、前記第１情報は、前記ＲＦ−ＩＤタグを組み合わせて利用する旨の情報を含み、前記制御手段は前記第１の制御を行った後に、読み取られた前記第１情報の前記情報に基づいて前記第２の制御を行うか否かの判断を行う情報処理装置。
【請求項９】
請求項１記載の情報処理装置は、移動通信端末である情報処理装置。
【請求項１０】
請求項１記載の情報処理装置において、前記ＲＦ−ＩＤ読み取り手段と前記バーコード読み取り手段は、前記ＲＦ−ＩＤ読み取り手段と前記バーコード読み取り手段のうちの一方が前記媒体から情報読み取り可能であるときに、他方も前記媒体から情報読み取り可能なように、配置されている情報処理装置。
【請求項１１】
バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードと該ＲＦ−ＩＤタグとが、前記バーコード読み取り手段及び前記ＲＦ−ＩＤ読み取り手段の情報読み取り可能範囲にあるときに、前記バーコード読み取り手段とＲＦ−ＩＤ読み取り手段との読み取り制御を行う制御手段により、前記バーコード読み取り手段を用いて前記バーコードから第１の情報を読み取る第１の制御と、前記ＲＦ−ＩＤ読み取り手段を用いて前記ＲＦ−ＩＤタグから第２の情報を読み取る第２の制御とを行う情報処理方法。
【請求項１２】
請求項１１記載の情報処理方法において、前記制御手段は、前記第１の制御と、前記第２の制御とを並行して行う情報処理方法。
【請求項１３】
請求項１１記載の情報処理方法において、前記制御手段は、前記第１の制御と前記第２の制御のうちのいずれか一方の制御を行った後に、前記第１の制御と前記第２の制御のうちの他方の制御を行う情報処理方法。
【請求項１４】
請求項１２記載の情報処理方法において、前記制御手段は、並行して行われた前記第１及び第２の制御により読み取られた前記第１情報と前記第２情報のうちの一方の情報に基づいて、該一方の情報と、前記第１情報と前記第２情報のうちの他方の情報とが関連づけられるか否かの判断を行う情報処理方法。
【請求項１５】
請求項１３記載の情報処理方法において、前記制御手段は、前記第１の制御と前記第２の制御のうちのいずれか一方の制御より読み取られた第１情報又は第２情報に基づいて、前記他方の制御を行うか否かの判断を行う情報処理方法。
【請求項１６】
請求項１２記載の情報処理方法において、前記制御手段は、並行して行われた前記第１及び第２の制御により読み取られた前記第１情報と前記第２情報のうちの一方の情報を出力し、該一方の情報と、前記第１情報と前記第２情報のうちの他方の情報との関連づけに関する情報を受ける情報処理方法。
【請求項１７】
請求項１３記載の情報処理方法において、前記制御手段は、前記第１の制御と前記第２の制御のうちのいずれか一方の制御より読み取られた第１情報又は第２情報を出力し、出力された第１情報又は第２情報と前記他方の制御により読み取られるべき第１情報又は第２情報との関連づけに関する情報を受け、前記他方の制御を行うか否かの判断を行う情報処理方法。
【請求項１８】
請求項１１記載の情報処理方法において、前記第１情報は、前記ＲＦ−ＩＤタグを組み合わせて利用する旨の情報を含み、前記制御手段は前記第１の制御を行った後に、読み取られた前記第１情報の前記情報に基づいて前記第２の制御を行うか否かの判断を行う情報処理方法。
【請求項１９】
請求項１１記載の情報処理方法は、移動通信端末である情報処理方法。
【請求項２０】
バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードから第１情報を読み取るバーコード読み取り手段と、前記ＲＦ−ＩＤタグから第２情報を読み取るＲＦ−ＩＤ読み取り手段と、前記バーコード読み取り手段と前記ＲＦ−ＩＤ読み取り手段とを制御するコンピュータとを備えた情報処理装置の該コンピュータに、
前記バーコードと前記ＲＦ−ＩＤタグとが、前記バーコード読み取り手段及び前記ＲＦ−ＩＤ読み取り手段の情報読み取り可能範囲にあるときに、前記バーコード読み取り手段を用いて前記バーコードから第１の情報を読み取る第１の制御と、前記ＲＦ−ＩＤ読み取り手段を用いて前記ＲＦ−ＩＤタグから第２の情報を読み取る第２の制御とを行う処理を実行させるためのプログラム。
【請求項２１】
請求項２０に記載のプログラムにおいて、
前記処理は前記第１の制御と前記第２の制御とを並行して行うプログラム。
【請求項２２】
請求項２０に記載のプログラムにおいて、
前記処理は前記第１の制御と前記第２の制御のうちのいずれか一方の制御を行った後に、前記第１の制御と前記第２の制御のうちの他方の制御を行うプログラム。
【発明の詳細な説明】
【技術分野】
【０００１】
本発明は情報処理装置及びそれらに用いる情報処理方法並びにそのプログラムに関し、特に商品の情報等を示すバーコード等を利用する情報処理システムに関する。
【背景技術】
【０００２】
従来、この種の情報処理システムにおいては、商品の情報をバーコードとして商品に印刷し、そのバーコードを読取ることで販売管理が行われている（例えば、特許文献１参照）。例えば、この種の情報処理システムとしては、ＰＯＳ（Ｐｏｉｎｔ  Ｏｆ  Ｓａｌｅｓ）端末に、バーコードを読取るバーコードリーダを接続するシステム等がある。
【０００３】
一方、従来の情報処理システムとしては、バーコードの代わりに、上記の商品の情報を記憶しているＩＣチップ［いわゆるＲＦ−ＩＤ（Ｒａｄｉｏ  Ｆｒｅｑｕｅｎｃｙ−ＩＤｅｎｔｉｆｉｃａｔｉｏｎ）タグ、無線タグ、ＩＣタグ等］を利用するシステムも提案され、実現されている。
【０００４】
また、従来の情報処理システムとしては、上記のバーコードとＩＣチップとを組合せて用いるシステムも提案されている。この場合、提案されている方法ではバーコード及びＩＣチップに同一の情報を記憶させる方法（例えば、特許文献２〜４参照）、それらを用いてチェックを行う方法（例えば、特許文献５，６参照）、バーコード及びＩＣチップ各々に記憶された情報である情報（例えば、コード分類の情報）を示す方法（例えば、特許文献７参照）等がある。
【特許文献１】特開２００３−１４１２９５号公報
【特許文献２】特開２００２−１２３８０５号公報
【特許文献３】特開２００２−０４９９０５号公報
【特許文献４】特開２００２−０８３２７８号公報
【特許文献５】特開２００１−２９１０７９号公報
【特許文献６】特開平１１−０９６４６３号公報
【特許文献７】実開平０５−０４０９６２号公報
【発明の開示】
【発明が解決しようとする課題】
【０００５】
上述した従来の情報処理システムでは、バーコードやＩＣチップを商品の情報を格納する媒体として使用しており、書籍に懸賞記事を掲載した場合に、懸賞の応募条件として書籍の購入を要求する（いわゆる「マストバイ懸賞」）方式を採るシステムには利用されていない。
【０００６】
書籍に懸賞記事を掲載した場合に、「マストバイ懸賞」方式を採る際には、書籍の一部に「応募券」を印刷しておき、その部分を切り取って懸賞応募葉書に貼り付ける等の手順をとるのが一般的である。
【０００７】
また、広告用ポスターにバーコードを印刷し、それを携帯電話端末等で読み取ることによって、消費者(携帯電話端末のユーザ)にさらなる情報提供を行うシステムも提案されているが、その場合には、消費者が広告を見た位置についての情報を利用することができないという問題がある。
【０００８】
この問題を解決するためにはバーコードに位置情報を盛り込む方法が考えられるが、掲示位置によってバーコードを変えて広告用ポスターを印刷しなければならず、印刷費用が高くなるという問題がある。
【０００９】
上記の特許文献２〜４には、ＩＣチップに記録されている情報の全部または一部をバーコードに可視表示したり、非接触データキャリアにバーコードに記録されたデータの全部または一部を共通のデータとして記録したり、ＩＣチップ及びバーコードに商品管理情報（つまり、同一の情報）を保持させたりする技術が記載されているが、異なる情報を含むような懸賞システムや広告システムに利用することができない。
【００１０】
また、特許文献５，６には、ＩＣチップとバーコードとの２重チェックで正当性を確認したり、印刷情報とＩＣチップの情報」とをチェックのためにつきあわせたりする技術が記載されているが、上記と同様に、異なる情報を含むような懸賞システムや広告システムに利用することができない。
【００１１】
そこで、本発明の目的は上記の問題点を解消し、各々異なる情報を記録したバーコード及びＲＦ−ＩＤを組み合わせて、簡便な操作手順で利用することができる情報処理装置及びそれらに用いる情報処理方法並びにそのプログラムを提供することにある。
【課題を解決するための手段】
【００１２】
本発明による情報処理装置は、バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードから第１情報を読み取るバーコード読み取り手段と、
前記ＲＦ−ＩＤタグから第２情報を読み取るＲＦ−ＩＤ読み取り手段と、
前記バーコード読み取り手段を用いて前記第１情報を読み取る第１の制御と、前記ＲＦ−ＩＤ読み取り手段を用いて前記第２情報を読み取る第２の制御とを行う制御手段とを有し、
前記制御手段は、前記バーコードと前記ＲＦ−ＩＤタグとが、前記バーコード読み取り手段及び前記ＲＦ−ＩＤ読み取り手段の情報読み取り可能範囲にあるときに、前記第１の制御と前記第２の制御とを行う情報処理装置である。
【００１３】
本発明による情報処理方法は、バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードと該ＲＦ−ＩＤタグとが、前記バーコード読み取り手段及び前記ＲＦ−ＩＤ読み取り手段の情報読み取り可能範囲にあるときに、前記バーコード読み取り手段とＲＦ−ＩＤ読み取り手段との読み取り制御を行う制御手段により、前記バーコード読み取り手段を用いて前記バーコードから第１の情報を読み取る第１の制御と、前記ＲＦ−ＩＤ読み取り手段を用いて前記ＲＦ−ＩＤタグから第２の情報を読み取る第２の制御とを行う情報処理方法である。
【００１４】
本発明によるプログラムは、バーコードとＲＦ−ＩＤ（Ｒａｄｉｏ  Ｆｒｅｑｕｅｎｃｙ−ＩＤｅｎｔｉｆｉｃａｔｉｏｎ）タグとを備えた媒体の該バーコードから第１情報を読み取るバーコード読み取り手段と、前記ＲＦ−ＩＤタグから第２情報を読み取るＲＦ−ＩＤ読み取り手段と、前記バーコード読み取り手段と前記ＲＦ−ＩＤ読み取り手段とを制御するコンピュータとを備えた情報処理装置の該コンピュータに、
前記バーコードと前記ＲＦ−ＩＤタグとが、前記バーコード読み取り手段及び前記ＲＦ−ＩＤ読み取り手段の情報読み取り可能範囲にあるときに、前記バーコード読み取り手段を用いて前記バーコードから第１の情報を読み取る第１の制御と、前記ＲＦ−ＩＤ読み取り手段を用いて前記ＲＦ−ＩＤタグから第２の情報を読み取る第２の制御とを行う処理を実行させるためのプログラムである。
【００１５】
本発明では、バーコードに記録された情報とＲＦ−ＩＤタグに記録された情報との両者を組み合わせることによって、情報に付加価値を与え、利用者の目に付きやすいというバーコードの特徴と、利用者から直接見えなくても、電磁波の透過性によって読み取りが可能であるというＲＦ−ＩＤタグとの特性を利用し、利用者がバーコードとＲＦ−ＩＤとを個別に読み取らなくても、簡便な操作で自動的に、両者を読み取ることを可能となる。
【００１６】
本発明では、バーコードとＲＦ−ＩＤタグとを用いる装置において、バーコードに記録されている情報と、ＲＦ−ＩＤタグに記録されている情報とを組み合わせて利用し、かつエンドユーザの操作手順が簡便になるようにすることができる。
【発明の効果】
【００１７】
本発明は、バーコード及びＲＦ−ＩＤに記録した情報を組み合わせて、簡便な操作手順で、異なる処理を行うことができるという効果が得られる。
【発明を実施するための最良の形態】
【００１８】
次に、本発明の実施の形態について図面を参照して説明する。図１は本発明の実施の形態による情報処理装置を用いた情報処理システムの構成例を示すブロック図である。図１において、本発明の実施の形態による情報処理装置はユーザによって用いられるサービス端末１と、サービス端末１に配設されたバーコードリーダ２及びＲＦ−ＩＤ（Ｒａｄｉｏ  Ｆｒｅｑｕｅｎｃｙ−ＩＤｅｎｔｉｆｉｃａｔｉｏｎ）リーダ３とからなっている。
【００１９】
サービス端末１は図１１及び図１２に示すように、バーコードリーダ２、ＲＦ−ＩＤリーダ３及び情報処理機能部が設けられており、制御手段となる情報処理機能部がバーコードリーダ２及びＲＦ−ＩＤリーダ３の読み取り動作を制御する。情報処理機能部と、バーコードリーダ２及びＲＦ−ＩＤリーダ３とは、サービス端末１から別体として切り離して設けられてもよい。
【００２０】
サービス端末１をバーコードとＲＦ−ＩＤタグとを有する媒体に移動させて、又はバーコードとＲＦ−ＩＤタグとを有する媒体をサービス端末に移動させることで、バーコードとＲＦ−ＩＤタグとが、バーコードリーダ２及びＲＦ−ＩＤリーダ３の情報読み取り可能範囲にあるようにされる（言い換えれば、バーコードとＲＦ−ＩＤタグとが読み取り可能な位置にバーコードリーダ２とＲＦ−ＩＤリーダ３との両方が配される）。このときに、情報処理機能部は、バーコードリーダ２とＲＦ−ＩＤリーダ３を制御してバーコードとＲＦ−ＩＤタグとから情報を読み取る。なお、RF-IDタグは無線タグ、ICタグ、無線ICタグとも呼ばれる。
【００２１】
図１１はバーコードとＲＦ−ＩＤタグとが重ねて配置された場合のバーコードリーダ２及びＲＦ−ＩＤリーダ３の配置を示す図、図１２はバーコードとＲＦ−ＩＤタグとが並置された場合のバーコードリーダ２及びＲＦ−ＩＤリーダ３の配置を示す図である。
【００２２】
図１１及び図１２において、バーコードリーダ２がバーコードを読み取れる位置に配置されると、ＲＦ−ＩＤリーダ３もＲＦ−ＩＤタグが読み取れる位置にくるように、バーコードリーダ２とＲＦ−ＩＤリーダ３とが配されている。ＲＦ−ＩＤリーダ３がＲＦ−ＩＤタグを読み取れる位置に配置されると、バーコードリーダ２がバーコードを読み取れる位置に配置されように、バーコードリーダ２とＲＦ−ＩＤリーダ３とが配されてもよい。
【００２３】
以下、バーコードリーダ２がバーコードを読み取れる位置に配置されると、ＲＦ−ＩＤリーダ３もＲＦ−ＩＤタグが読み取れる位置にくるように、バーコードリーダ２とＲＦ−ＩＤリーダ３とが配されている場合を例にとって説明する。バーコードリーダはデジタルカメラやレーザー装置等が用いられる。
【００２４】
例えばバーコードリーダがデジタルカメラである場合には、サービス端末１のユーザはカメラの画像を表示画面で見ながら撮影位置にサービス端末１を配置すると、デジタルカメラがバーコードの読み取り位置に配される。同時にＲＦ−ＩＤリーダ３もＲＦ−ＩＤタグの読み取り位置に配置される。そして、ユーザがバーコードを読み取るべくデジタルカメラのスイッチを操作すると情報処理機能部により所定のシーケンスによりバーコードとＲＦ−ＩＤタグからの情報読み取りが行われる。
【００２５】
読み取りシーケンスとしては、例えば、バーコードリーダ２によるバーコードを読み取りと、ＲＦ−ＩＤリーダ３によるＲＦ−ＩＤタグの読み取りとが並行して行われる場合、又はバーコードリーダ２によるバーコードを読み取り後に、ＲＦ−ＩＤリーダ３によるＲＦ−ＩＤタグの読み取りが行われる場合がある。
【００２６】
ＲＦ−ＩＤリーダ３がＲＦ−ＩＤタグを読み取れる位置に配置されると、バーコードリーダ２もバーコードが読み取れる位置にくるように、バーコードリーダ２とＲＦ−ＩＤリーダ３とが配される場合の読み取りシーケンスは、例えば、バーコードリーダ２によるバーコードを読み取りと、ＲＦ−ＩＤリーダ３によるＲＦ−ＩＤタグの読み取りとが並行して行われる場合、又はＲＦ−ＩＤリーダ３によるＲＦ−ＩＤタグの読み取り後に、バーコードリーダ２によるバーコードを読み取りが行われる場合がある。
【００２７】
バーコードリーダの読み取り可能範囲の概形は、バーコードリーダをデジタルカメラ装置を流用して構成した場合には、典型的には、バーコードリーダを頂点とした円錐形のうち、バーコードリーダから一定の距離範囲のうちになる（図１１及び図１２）。一方、RF-IDリーダの読み取り可能範囲の概形は、典型的には、RF-IDリーダを一端とした、楕円体状の範囲になる(図１1及び図１２の破線で囲まれた部分)。
【００２８】
図１１を用いて、バーコードとRF-IDが重ねて配置されているような場合に対応した、サービス端末の読み取り部の構成方法を説明する。バーコードがバーコードリーダの読み取り可能範囲内になるように、ユーザがサービス端末をバーコードに向けて構えた場合に、RF-IDがRF-IDリーダの読み取り可能範囲内になるように、サービス端末にバーコードリーダとRF-IDリーダを配置する。具体的には、バーコードリーダとRF-IDリーダを並置し、かつ、RF-IDリーダの軸線を、バーコードリーダの読み取り範囲に向くような角度で配置する。ここで、RF-IDリーダの読み取り可能範囲は、バーコードリーダの読み取り可能範囲より、サービス端末に対して遠方まで届くように構成する。RF-IDタグがRF-IDリーダの読み取り可能範囲内になるように、ユーザがサービス端末をRF-IDタグに向けて構えたときに、バーコードがバーコードリーダの読み取り可能範囲内になるようにする場合には、バーコードリーダとRF-IDリーダを並置し、かつ、バーコードリーダの軸線をRF-IDリーダの読み取り範囲に向くような角度で配置する。
【００２９】
図１２を用いて、バーコードとRF-IDが並置されているような場合に対応した、サービス端末の読み取り部の構成方法を説明する。バーコードがバーコードリーダの読み取り可能範囲内になるように、ユーザが端末装置をバーコードに向けて構えた場合に、RF-IDがRF-IDリーダの読み取り可能範囲内になるように、サービス端末にバーコードリーダとRF-IDリーダを配置する。具体的には、バーコードリーダとRF-IDリーダを並置し、かつ、バーコードリーダの軸線と、RF-IDリーダの軸線が平行になるように配置する。この際にバーコードリーダとRF-IDリーダの間の距離は、バーコードとRF-IDの間の距離と等しくなるように配置する。ユーザがサービス端末をRF-IDタグに向けて構えたときに、バーコードがバーコードリーダの読み取り可能範囲内になるようにする場合も同様な配置となる。
【００３０】
上記情報処理装置を用いた情報処理システムは、上記情報処理装置と、サービスを提供するサービスサーバ４と、バーコード情報を管理するバーコード情報管理サーバ５と、ＲＦ−ＩＤ情報を管理するＲＦ−ＩＤ情報管理サーバ６とから構成されている。
【００３１】
また、サービス端末１とサービスサーバ４とは通信路１００を介して接続され、サービスサーバ４とバーコード情報管理サーバ５とＲＦ−ＩＤ情報管理サーバ６とはネットワーク２００を介して接続されている。
【００３２】
ユーザがサービス端末１を用いてバーコード印刷面３００に印刷されたバーコード３０１の読み取り動作をバーコードリーダ２にて行うと、ＲＦ−ＩＤリーダ３は自動的にＲＦ−ＩＤ貼付面３１０に貼付されたＲＦ−ＩＤタグ３１１の読み取り動作を行う。サービス端末１はバーコードリーダ２及びＲＦ−ＩＤリーダ３によるバーコード３０１及びＲＦ−ＩＤタグ３１１の読み取りが終了した後、バーコード３０１及びＲＦ−ＩＤタグ３１１からの読み取り情報を通信路１００を介してサービスサーバ４に送る。
【００３３】
サービスサーバ４はバーコード情報管理サーバ５とＲＦ−ＩＤ情報管理サーバ６とにネットワーク２００を介して接続可能となっており、サービス端末１からの読み取り情報（バーコード３０１及びＲＦ−ＩＤタグ３１１からの読み取り情報）に基づいてバーコード情報管理サーバ５及びＲＦ−ＩＤ情報管理サーバ６と連係動作を行う。サービスサーバ４はその連係動作の結果を通信路１００を介してサービス端末１に送る。サービス端末１は通信路１００を介してサービスサーバ４から受信した連係動作の結果を、ユーザに提示する。
【００３４】
このように、本発明の実施の形態では、ユーザがバーコード３０１の読み取り操作を行うだけで、ＲＦ−ＩＤタグ３１１から情報を自動的に読み取って、それら両者の読み取り結果を組み合わせて利用しているので、ユーザが簡便な操作を行うだけで、システムを利用することができる。
【００３５】
本実施形態において、バーコードとＲＦ−ＩＤタグとに相異なる情報を記録すれば、バーコードに記録する情報の管理者と、ＲＦ−ＩＤに記録する情報の管理者とがそれぞれ独立に情報管理を行うことが可能となる。
【００３６】
本実施形態では、バーコードとＲＦ−ＩＤタグとを組み合わせて利用する装置において、バーコードとＲＦ−ＩＤタグとが重なるように配置し、バーコードリーダとＲＦ−ＩＤリーダとを兼ね備えた読み取り装置を、バーコードリーダがバーコード読み取り可能な位置に移動させた時にＲＦ−ＩＤタグがＲＦ−ＩＤリーダの読み取り可能な位置にくるように構成し、バーコードが印刷された素材の特性（ＲＦ−ＩＤ読み取りに用いる電磁波が透過する特性）を利用し、バーコードとＲＦ−ＩＤタグとを重ねて配置してもバーコードとＲＦ−ＩＤタグとのいずれも読み取り可能となる。
【００３７】
また、本実施形態では、バーコードに記録された情報の一部に、ＲＦ−ＩＤタグを組み合わせて利用する旨が記録し、読み取り装置がバーコード読み取り時に自動的にＲＦ−ＩＤタグの読み取りを開始可能となる。
【００３８】
さらに、本実施形態では、バーコードとＲＦ−ＩＤタグとに相異なる情報を記録し、バーコード及びＲＦ−ＩＤタグ各々に記録された情報を組み合わせて利用することができる。
【実施例１】
【００３９】
図２は本発明の一実施例による情報処理装置を含む情報処理システムの構成を示すブロック図である。図２においては本発明の一実施例による書籍懸賞システムを示している。この書籍懸賞システムは移動通信端末としての携帯電話端末１１と、基地局１３と、懸賞サーバ１４と、ＲＦ−ＩＤリーダ１５ａを備えたＰＯＳ（Ｐｏｉｎｔ  Ｏｆ  Ｓａｌｅｓ）端末１５と、ＰＯＳサーバ１６と、懸賞記事データ管理サーバ１７とから構成されている。移動通信端末としては携帯電話装置、PDA (Personal Digital Assistant)等がある。
【００４０】
携帯電話端末１１は図示せぬバーコードリーダ及びRF-IDリーダと、携帯電話網４00を通して通信を行う通信機能(図示せず)を備えており、バーコードリーダとRF-IDリーダは書籍１２のバーコード１２１とRF-IDタグ１２２が重ねて配置されているため、図１１に示すように近接して配設され、RF-IDリーダの軸線は、バーコードリーダの読み取り範囲に向くような角度で配設される。また、RF-IDリーダの読み取り範囲は、バーコードリーダの読み取り範囲より２ｃｍ程度(この長さは典型的な雑誌の厚さ以上となる長さである)長くなるよう構成する。
【００４１】
書籍１２においては背表紙にＲＦ−ＩＤタグ１２２を備え、一部もしくは全てのページのＲＦ−ＩＤタグ１２２と重なる位置にバーコード１２１を備えている。
【００４２】
本実施例では、上記の携帯電話端末１１と書籍１２との構成によって、携帯電話端末１１のバーコードリーダを書籍１２のバーコード１２１が読み取れる位置に持ってくると、そのバーコード１２１の読取りのときに、書籍１２のＲＦ−ＩＤタグ１２２も携帯電話端末１１のＲＦ−ＩＤリーダによって読み取り可能となる。
【００４３】
ＲＦ−ＩＤタグ１２２を読み取るＲＦ−ＩＤリーダ１５ａ付きのＰＯＳ端末１５はＰＯＳサーバ１６とＰＯＳ専用通信網６００を通して通信することができるように構成されている。また、携帯電話端末１１と懸賞サーバ１４とは携帯電話網４００を通して通信することができるように構成されている。さらに、懸賞サーバ１４と、ＰＯＳサーバ１６と、懸賞記事データ管理サーバ１７とはサーバ間ネットワーク５００によって通信することができるように構成されている。
【００４４】
この図２を参照して本発明の一実施例による書籍懸賞システムの動作について説明する。尚、ＲＦ−ＩＤタグ１２２には書籍１２の個体識別情報（シリアルナンバー等）が記録され、バーコード１２１には当該バーコード１２１が印刷されているページを識別する情報が記録されているものとする。
【００４５】
ＰＯＳサーバ１６は書籍１２が「未購入」／「購入済み」のいずれの状態であるかを記録している。初期状態では、書籍１２は「未購入」の状態である。ＰＯＳ端末１５はユーザが書籍１２を購入する際に、ＲＦ−ＩＤリーダ１５ａにてＲＦ−ＩＤタグ１２２を読み取り、ＰＯＳサーバ１６に「購入済み」である旨を通知する。ＰＯＳサーバ１６はその通知を受けて、書籍１２の状態を「購入済み」に更新する。
【００４６】
ユーザは携帯電話端末１１を用いて、書籍１２に記載された懸賞記事に応募することができる。その際、ユーザは携帯電話端末１１を用いて、書籍１２のバーコード１２１とＲＦ−ＩＤタグ１２２とをワンアクションで読み取り、それらの読み取り結果を懸賞サーバ１４に送信する。
【００４７】
懸賞サーバ１４は携帯電話端末１１から送信されたバーコード１２１及びＲＦ−ＩＤタグ１２２の読み取り結果を受信し、ＲＦ−ＩＤタグ１２２の読み取り結果を基に、ＰＯＳサーバ１６に書籍１２の状態を問い合わせる。
【００４８】
懸賞サーバ１４は書籍１２の状態が「未購入」の状態であれば、いわゆる「立読み」なので、懸賞応募を受理しない。また、懸賞サーバ１４は書籍１２が「購入済み」の状態であれば、バーコード１２１の読み取り結果を基に、懸賞記事データ管理サーバ１７に問い合わせを行う。
【００４９】
懸賞記事データ管理サーバ１７はバーコード１２１の読み取り結果を基に懸賞記事を特定し、懸賞応募に必要な入力項目を懸賞サーバ１４への応答として返す。懸賞サーバ１４は携帯電話端末１１へ懸賞応募に必要な入力項目を転送する。
【００５０】
携帯電話端末１１はユーザに入力項目の入力を促し、ユーザからの入力結果を懸賞サーバ１４に送る。懸賞サーバ１４は携帯電話端末１１からの入力結果を内部に保存する。
【００５１】
また、懸賞サーバ１４は抽選日には入力結果の中から当選者を選び出し、懸賞の主催者に当選者を通知する。
【００５２】
図３は図２の書籍１２の構成を示す図である。図３において、書籍１２は表表紙１２３と、裏表紙１２４と、１枚以上の懸賞記事用ページ１２５と、０枚以上のその他のページ１２６と、懸賞記事用ページ１２５に印刷されたバーコード１２１と、裏表紙１２４に貼り付けられたＲＦ−ＩＤタグ１２２とから構成されている。
【００５３】
ＲＦ−ＩＤタグ１２２とバーコード１２１とについては、バーコード１２１の印刷面が見えるように懸賞記事用ページ１２５を開き、裏表紙１２４の上に懸賞記事用ページ１２５を重ねると、バーコード１２１がＲＦ−ＩＤタグ１２２の上に重なるように配置される。
【００５４】
その際、裏表紙１２４とバーコード１２１の貼り付けられた懸賞記事用ページ１２５との間には、その他のページ１２６が挟まっていてもよいが、その場合でもＲＦ−ＩＤタグ１２２とバーコード１２１との間の距離は、ＲＦ−ＩＤタグ１２２及びバーコード１２１の同時読み取りが可能な程度に近距離に構成する。
【００５５】
懸賞記事用ページ１２５及びその他のページ１２６は、ＲＦ−ＩＤタグ１２２の読み取りに使用する電磁波を透過する材料で構成される。一般には、普通の本と同じ紙を使用しておけば、透過するので問題はない。尚、バーコード１２１としては、例えばＪＡＮ（Ｊａｐａｎ  Ａｒｔｉｃｌｅ  Ｎｕｍｂｅｒ）コードのようなコード体系が用いられる。しかしながら、それ以外にも、紙に印刷可能なその他のコード［例えば、ＱＲ（Ｑｕｉｃｋ  Ｒｅｓｐｏｎｓｅ）コード、CODE 39、UPC-A/E、CODE 93等］を用いてもよい。
【００５６】
また、上記の「バーコード１２１がＲＦ−ＩＤタグ１２２の上に重なる」という条件の中で、ＲＦ−ＩＤタグ１２２を裏表紙１２４以外に貼り付けてもよい。例えば、表表紙１２３やその他のページ１２６のうちの１ページでもよい。
【００５７】
バーコード１２１には２種類の情報が記録されている。一つ目の情報はそのバーコード１２１が懸賞記事用のものであることを示す情報であり、その部分から得られる情報だけで、そのバーコード１２１が付記された紙面（懸賞記事用ページ１２５）には、何某かの懸賞記事が掲載されていると判断可能である。
【００５８】
もう一つの情報は懸賞記事の識別情報であり、懸賞記事毎に異なっている。但し、異なる書籍に掲載された懸賞記事であっても、懸賞記事の内容自体が同じであれば、同一の識別情報が振られる。
【００５９】
携帯電話端末１１は懸賞記事の識別情報を基に、懸賞記事データ管理サーバ１７に問い合わせることによって、懸賞応募に必要な入力項目を取得することが可能である。ここで、ＲＦ−ＩＤタグ１２２にはそのタグが貼り付けられた書籍１２を固体識別するための情報が記録されている。
【００６０】
図４は図２の携帯電話端末１１の構成を示すブロック図である。図４において、携帯電話端末１１は情報処理機能部１１１と、ＵＩ（Ｕｓｅｒ  Ｉｎｔｅｒｆａｃｅ）機能部１１２と、バーコード読み取り機能部（バーコードリーダ）１１３と、ＲＦ−ＩＤ読み取り機能部（ＲＦ−ＩＤリーダ）１１４と、通信機能部１１５とから構成されている。
【００６１】
制御手段となる情報処理機能部１１１は計算機（コンピュータ）と、その上で動作するソフトウェアとから構成され、後述する処理を行うことができるように構成されている。計算機（コンピュータ）はCPUと、図８に示すフローを記述したプログラムが記憶されたROMと情報処理のためのデータが記憶されたRAMを備えている。ＵＩ機能部１１２はユーザへの情報提示デバイス［液晶ディスプレイ、スピーカ、バイブレータ、ＬＥＤ（Ｌｉｇｈｔ  Ｅｍｉｔｔｉｎｇ  Ｄｉｏｄｅ）等］と、ユーザからの情報入力デバイス（ボタンスイッチ、スライドスイッチ、タッチパネル等）とから構成されている。この場合、ＵＩ機能部１１２を構成する個々のデバイスの制御は情報処理機能部１１１によって行われる。
【００６２】
バーコード読み取り機能部１１３はバーコードリーダによって構成され、そのバーコードリーダの制御は情報処理機能部１１１によって行われる。ＲＦ−ＩＤ読み取り機能部１１４はＲＦ−ＩＤリーダによって構成され、そのＲＦ−ＩＤリーダの制御は情報処理機能部１１１によって行われる。
【００６３】
通信機能部１１５は携帯電話網４００を通して無線通信を行うことができるように構成され、通信機能部１１５の制御は情報処理機能部１１１によって行われる。通信機能部１１５は当業者にとってよく知られており、その詳細な構成の説明については省略する。
【００６４】
尚、バーコード読み取り機能部１１３はバーコードリーダによって構成する以外にも、汎用カメラ機能と画像処理機能との組み合わせとして構成してもよい。また、通信機能部１１５については、携帯電話網４００を通じての無線通信手段以外にも、無線ＬＡＮ（Ｌｏｃａｌ  Ａｒｅａ  Ｎｅｔｗｏｒｋ）機能等の無線通信手段を利用してもよい。
【００６５】
ＰＯＳ端末１５はＰＯＳ専用通信網６００を通してＰＯＳサーバ１６と通信できるように構成されている。また、ＰＯＳ端末１５は商品に付いているＲＦ−ＩＤタグを読み取ることができるように構成されている。
【００６６】
図５は図２の懸賞サーバ１４の構成を示すブロック図である。図５において、懸賞サーバ１４は通信機能を備えた計算機として構成され、携帯電話との通信機能部１４１と、未購入／購入済み問合せ機能部１４２と、懸賞記事データ問合せ機能部１４３と、入力項目送信機能部１４４と、入力結果受信機能部１４５と、抽選機能部１４６と、入力結果保存機能部１４７と、他サーバとの通信機能部１４８とを備えている。
【００６７】
携帯電話との通信機能部１４１は携帯電話事業者の提供する通信回線に接続可能な通信デバイスとして構成される。未購入／購入済み問合せ機能部１４２は他サーバとの通信機能部１４８を通してＰＯＳサーバ１６に問い合わせを行うソフトウェアとして構成されている。
【００６８】
懸賞記事データ問合せ機能部１４３は他サーバとの通信機能部１４８を通して懸賞記事データ管理サーバ１７に問い合わせを行うソフトウェアとして構成されている。入力項目送信機能部１４４は携帯電話との通信機能部１４１を通して携帯電話端末１１に懸賞応募に必要な入力項目を送るソフトウェアとして構成されている。
【００６９】
入力結果受信機能部１４５は携帯電話との通信機能部１４１を通して携帯電話端末１１から懸賞応募に必要な入力項目への入力結果を受け取り、その入力結果を入力結果保存機能部１４７に書き込むソフトウェアとして構成されている。抽選機能部１４６は入力結果保存機能部１４７に蓄えられた懸賞応募に必要な入力項目への入力結果の中から、懸賞当選者を選び出すソフトウェアとして構成されている。懸賞当選者を選び出すためには、例えば乱数を用いる。
【００７０】
入力結果保存機能部１４７は懸賞応募結果（懸賞応募に必要な入力項目への入力結果）を保存するための計算機から利用可能なストレージデバイスとして構成されている。他サーバとの通信機能部１４８はサーバ間ネットワーク５００に接続可能な通信デバイスとして構成されている。
【００７１】
図６は図２のＰＯＳサーバ１６の構成を示すブロック図である。図６において、ＰＯＳサーバ１６は通信機能を備えた計算機として構成され、未購入／購入済み問合せ応答機能部１６１と、販売管理データ更新機能部１６２と、販売管理データ追加機能部１６３と、他サーバとの通信機能部１６４と、ＰＯＳ端末との通信機能部１６５と、販売管理データ保存機能部１６６とを備えている。
【００７２】
未購入／購入済み問合せ応答機能部１６１は他サーバとの通信機能部１６４を通して懸賞サーバ１４の未購入／購入済み問合せ機能部１４２から送られてくる問い合わせに、販売管理データ保存機能部１６６に保存されたデータを基に応答するソフトウェアとして構成されている。
【００７３】
販売管理データ更新機能部１６２はＰＯＳ端末との通信機能部１６５を通してＰＯＳ端末１５から送られてくるＰＯＳデータ更新情報を基に、販売管理データ保存機能部１６６に保存されたデータを更新するソフトウェアとして構成されている。販売管理データ追加機能部１６３は販売管理データを追加するソフトウェアとして構成されている。追加された販売管理データは販売管理データ保存機能部１６６によってＰＯＳサーバ１６内に保存される。
【００７４】
他サーバとの通信機能部１６４はＰＯＳ端末との通信路６０１を通してＰＯＳ端末１５と通信可能な通信デバイスとして構成されている。販売管理データ保存機能部１６６は販売管理データを保存するための計算機から利用可能なストレージデバイスとして構成されている。
【００７５】
図７は図２の懸賞記事データ管理サーバ１７の構成を示すブロック図である。図７において、懸賞記事データ管理サーバ１７は通信機能を備えた計算機として構成され、懸賞記事データ問合せ応答機能部１７１と、懸賞記事データ追加機能部１７２と、他サーバとの通信機能部１７３と、懸賞記事データ保存機能部１７４とを備えている。
【００７６】
懸賞記事データ問合せ応答機能部１７１は他サーバとの通信機能部１７３を通して懸賞サーバ１４の懸賞記事データ問合せ機能部１４３から送られてくる問い合わせに応答するソフトウェアとして構成されている。懸賞記事データ追加機能部１７２は懸賞記事データを追加するソフトウェアとして構成されている。追加された懸賞記事は懸賞記事データ保存機能部１７４によって懸賞記事データ管理サーバ１７内に保存される。ここでいうところの懸賞記事データとは、バーコード１２１と、懸賞応募に必要な入力項目（懸賞応募者が回答する必要のある質問事項のこと。例えば住所・氏名等）を関連付けたデータであり、バーコード１２１の内容を基に懸賞応募に必要な入力項目を引き出すことが可能なように構成されている。
【００７７】
他サーバとの通信機能部１７３はサーバ間ネットワーク５００に接続可能な通信デバイスとして構成されている。懸賞記事データ保存機能部１７４は懸賞記事データ（懸賞応募に必要な入力項目とバーコード１２１とを関連付けたデータ）を保存するための計算機から利用可能なストレージデバイスとして構成されている。
【００７８】
図８は図２の携帯電話端末１１の内部処理アルゴリズムを示すフローチャートであり、図９は本発明の一実施例による書籍懸賞システムの動作を示すシーケンスチャートである。これら図２〜図９を参照して本発明の一実施例による書籍懸賞システムの動作について説明する。
【００７９】
まず、懸賞記事データ管理サーバ１７は新規の懸賞記事データを登録する（図９の手順ａ１）。この場合、懸賞の主催者は予め懸賞応募期間が始まる前に、懸賞記事データ管理サーバ１７に懸賞記事データ追加機能部１７２を通して懸賞記事データを登録しておく。
【００８０】
ＰＯＳサーバ１６は新規の販売管理データを登録する（図９の手順ａ２）。この場合、懸賞記事を掲載した書籍の小売業者は予め懸賞応募期間が始まる前に、ＰＯＳサーバ１６に販売管理データ追加機能部１６３を通して書籍の販売管理データを「未購入」として登録しておく。
【００８１】
ＰＯＳ端末１５は書籍１２のＲＦ−ＩＤタグ１２２を読み取る（図９の手順ａ３）。この場合、ユーザ（消費者）が書籍１２を小売店で購入する際に、小売店の販売員はＰＯＳ端末１５を通して書籍１２のＲＦ−ＩＤタグ１２２を読み取る。
【００８２】
ＰＯＳ端末１５は販売管理データを「購入済み」に更新するようにPOSサーバ１６へ要求する（図９の手順ａ４）。この場合、ＰＯＳ端末１５はＰＯＳサーバとの通信路６０１を介して書籍１２の販売管理データを「購入済み」に更新するようにＰＯＳサーバ１６に要求する通信を行う。
【００８３】
ＰＯＳサーバ１６は販売管理データを「購入済み」に更新する（図９の手順ａ５）。この場合、ＰＯＳサーバ１６は販売管理データ更新機能部１６２を通して書籍１２の販売管理データを「購入済み」に更新する。
【００８４】
上記の手順ａ３〜ａ５によって、ユーザが書籍１２を購入する際の動作が終了する。
【００８５】
ユーザは書籍１２を購入すると、携帯電話端末１１において懸賞応募用アプリケーションを起動し、書籍１２のバーコード１２１及びＲＦ−ＩＤタグ１２２を読み取る（図９の手順ａ６）。この場合、ユーザは、書籍１２を購入した後、応募を希望する懸賞記事を見つけると、携帯電話端末１１上で懸賞応募用アプリケーション（ソフトウェアプログラム）を起動する（図８ステップＳ１）。
【００８６】
携帯電話端末１１は懸賞応募用アプリケーションが起動されると、ユーザの指示に応答して懸賞記事に付記されたバーコード１２１をバーコード読取り機能部１１３にて読み取る（図８ステップＳ２〜Ｓ４）。
【００８７】
携帯電話端末１１は読み取ったバーコード１２１が懸賞応募用のものか否かを判断する（図８ステップＳ５）。これはバーコード１２１に懸賞応募用であることを示すデータが含まれているか否かによって判断可能である。
【００８８】
携帯電話端末１１は懸賞応募用のバーコードであれば、対になるＲＦ−ＩＤタグ１２２が存在するはずなので、バーコードの情報がＲＦ−ＩＤ情報と関連づけられると判断され、ＲＦ−ＩＤタグの読み取りが自動的に（ユーザの操作を伴わずに）行われる（図８ステップＳ７）。その際、バーコード１２１とＲＦ−ＩＤタグ１２２とは同時読み取り可能な位置に来るように構成されているので、ユーザは携帯電話端末１１を移動させる必要がない。尚、バーコード１２１が懸賞応募用のものでない場合、ＲＦ−ＩＤタグの読み取りを行わず、携帯電話端末１１はユーザに対してエラーを通知し（図８ステップＳ６）、ステップＳ２のユーザ入力待ちに戻る。
【００８９】
なお、図８のステップＳ４〜Ｓ７は、ステップＳ４とＳ７を並行して、すなわちバーコード読み取りとＲＦ−ＩＤ読み取りとを並行して行い、ＲＦ−ＩＤ情報をＲＡＭ等のメモリに記憶しておき、ステップＳ５において、読み取ったバーコードが懸賞応募用のものか否かを判断し、懸賞応募用のものであれば、メモリからＲＦ−ＩＤ情報を読み出し、懸賞応募用のものでなければメモリのＲＦ−ＩＤ情報を消去するようにしてもよい。既に説明したように図８に示すフローはそのフローを記述したプログラムで実行可能であるが、上記のステップＳ４とＳ７を並行する場合も同様にそのフローを記述したプログラムで実行可能である。
【００９０】
携帯電話端末１１はバーコード１２１及びＲＦ−ＩＤタグ１２２の読み取り結果を懸賞サーバ１４に通知する（図９の手順ａ７）。携帯電話端末１１はバーコード１２１とＲＦ−ＩＤタグ１２２の読み取りが終了すると、それらの読み取り結果を組にして懸賞サーバ１４に送信する（図８ステップＳ８）。その際の通信路としては携帯電話との通信路４０１が用いられる。
【００９１】
懸賞サーバ１４はＲＦ−ＩＤ１２２の読み取り結果をキーとして、未購入／購入済み情報をＰＯＳサーバ１６に問い合わせる（図９の手順ａ８）。この場合、懸賞サーバ１４はバーコード１２１及びＲＦ−ＩＤタグ１２２の読み取り結果を受信すると、未購入／購入済み問合せ機能部１４２を通してＰＯＳサーバ１６に、ユーザの手元にある書籍１２が購入済みか否かを問い合わせる。
【００９２】
問合せのキーになる情報は、ＲＦ−ＩＤタグ１２２の読み取り結果であり、その中には書籍１２の固体識別情報が含まれている。問い合わせは他サーバとの通信機能部１４８及びサーバ間ネットワーク５００を用いて行われる。
【００９３】
ＰＯＳサーバ１６は懸賞サーバ１４からの問い合わせに対して未購入／購入済み情報を回答する（図９の手順ａ９）。この場合、ＰＯＳサーバ１６はＲＦ−ＩＤタグ１２２の読み取り結果を受信すると、販売管理データ保存機能部１６６に保存されている販売管理データを基に、未購入／購入済み問合せ応答機能部１６１を通して未購入／購入済み情報を懸賞サーバ１４に回答する。回答は他サーバとの通信機能部１６４及びサーバ間ネットワーク５００を用いて行われる。
【００９４】
懸賞サーバ１４はバーコード１２１の読み取り結果をキーにして懸賞記事データ（懸賞応募に必要な入力項目）を懸賞記事データ管理サーバ１７に問い合わせる（図９の手順ａ１０）。この場合、懸賞サーバ１４は未購入／購入済み情報を受信すると、書籍１２が購入済みであれば、懸賞記事データ問合せ機能部１４３を通して懸賞記事データ管理サーバ１７に、ユーザが応募を希望している懸賞の懸賞記事データを問い合わせる。
【００９５】
この問合せのキーになる情報は、バーコード１２１の読み取り結果であり、その中には懸賞記事の識別情報が含まれている。また、その問合せは他サーバとの通信機能部１４８及びサーバ間ネットワーク５００を用いて行われる。
【００９６】
尚、書籍１２が未購入であれば、懸賞記事への応募は不可能であり、これ以降の処理は行われない。また、書籍１２が未購入の際にはユーザの携帯電話端末１１上に書籍１２の購入を促す画面を表示する等してもよい。
【００９７】
懸賞記事データ管理サーバ１７は懸賞サーバ１４からの問い合わせに対して懸賞記事データを回答する（図９の手順ａ１１）。この場合、懸賞記事データ管理サーバ１７はバーコード読み取り結果を受信すると、懸賞記事データ保存機能部１７４に保存された懸賞記事データを基に、懸賞記事データ問合せ応答機能部１７１を通して懸賞記事データを懸賞サーバ１４に回答する。この回答は、他サーバとの通信機能部１７３及びサーバ間ネットワーク５００を用いて行われる。
【００９８】
懸賞サーバ１４は懸賞記事データ管理サーバ１７から送られてきた懸賞応募に必要な入力項目を携帯電話端末１１に通知する（図９の手順ａ１２）。この場合、懸賞サーバ１４は懸賞記事データ（懸賞応募に必要な入力項目）を懸賞記事データ管理サーバ１７から受信すると、ユーザの携帯電話端末１１に懸賞記事データを送信する。そのデータの送信は、携帯電話との通信機能部１４１及び携帯電話との通信路４０１を用いて行われる。
【００９９】
携帯電話端末１１は懸賞サーバ１４からの入力項目をユーザに記入させる（埋めさせる）（図９の手順ａ１３）。この場合、携帯電話端末１１は懸賞応募に必要な入力項目を懸賞サーバ１４から受信すると、ユーザに入力項目を記入させるための画面を提示し、ユーザに入力項目を記入させる。
【０１００】
この際、入力項目には入力が必須な項目と、入力しなくても良い項目とが混在していてもよい。その場合には、入力が必須な項目に対する記入が終わった時点で、ユーザは入力を終了することが可能である（図８ステップＳ９〜Ｓ１１）。
【０１０１】
携帯電話端末１１はユーザによる入力結果を懸賞サーバ１４に回答する（図９の手順ａ１４）。この場合、携帯電話端末１１は懸賞応募に必要な入力項目の入力結果を懸賞サーバ１４に送信する（図８ステップＳ１２）。その際の通信路としては携帯電話との通信路４０１が用いられる。
【０１０２】
懸賞サーバ１４は携帯電話端末１１からの入力結果を保存する（図９の手順ａ１５）。この場合、懸賞サーバ１４は携帯電話端末１１からの入力結果を入力結果受信機能部１４５を通して受信すると、入力結果保存機能部１４７を用いて携帯電話端末１１からの入力結果を保存する。
【０１０３】
上述した手順ａ６〜ａ１５の処理によって、ユーザが懸賞に応募する際の動作が終了する。
【０１０４】
懸賞サーバ１４は懸賞応募期間が終了すると、携帯電話端末１１からの入力結果の中から抽選で当選者を選び出し、懸賞の主催者に通知する（図９の手順ａ１６）。この場合、懸賞サーバ１４は懸賞応募期間が終了すると、抽選機能部１４６を用いて入力結果保存機能部１４７に保存された入力結果の中から懸賞の当選者を決定し、その懸賞の当選者を懸賞の主催者に通知する。懸賞の主催者は入力結果保存機能部１４７に保存された入力結果を利用して、当選者に懸賞の商品を発送する。
【０１０５】
このように、本実施例では、商品（例えば、書籍１２）に印刷されたバーコード１２１及び当該商品に貼り付けられたＲＦ−ＩＤタグ１２２を同時読み取り可能な位置に配置することで、ユーザ（書籍１２の購入者でありかつ懸賞の応募者）が簡便な操作で懸賞に応募することができる。
【０１０６】
また、本実施例では、バーコード１２１及びＲＦ−ＩＤタグ１２２各々の読み取り結果を組み合わせて利用しているので、懸賞記事識別情報と書籍１２の固体識別情報とを分離して管理することができ、それらを組み合わせて利用することができる。
【０１０７】
例えば、懸賞記事の作成者は掲載書籍の販売部数等とは無関係にバーコード１２１を作成することが可能であり、書籍１２の小売業者は書籍１２中に含まれる懸賞記事の種類・個数とは無関係に書籍１２の販売管理を行うことができる。
【０１０８】
さらに、本実施例では、バーコード１２１中に、そのバーコード１２１が懸賞記事用のものであることを示す情報を格納しているので、バーコード１２１が懸賞記事用か否かを確認するために、外部のサーバに問合せ動作を行う必要がなく、すぐに、自動で対になるＲＦ−ＩＤタグ１２２の読み取りを開始することができる。
【０１０９】
以上説明した実施例は、バーコードが懸賞記事用のものであることを示す情報を格納し、外部のサーバに問合せ動作を行う必要がなく、すぐに、自動で対になるＲＦ−ＩＤの読み取りを開始することができる例について説明したが、バーコードの情報に含まれる識別情報等とＲＦ−ＩＤタグの情報とを関連づけられるか否かの情報を携帯電話装置に含まれるデータベースや外部のサーバのデータベースに記録しておき、バーコードの情報に含まれる識別情報等に基づいて携帯電話装置に含まれるデータベースを検索し、又は識別情報を外部のサーバに送信し、そのサーバのデータベースを検索してその検索結果を受信し、ＲＦ−ＩＤタグの情報と関連づけられるかの判断に基づいてＲＦ−ＩＤの読み取りを開始するかどうかの判断をしてもよい。具体的には、「マストバイ懸賞」方式を採るか否かを懸賞記事の識別情報との関連づけて携帯電話装置に含まれるデータベース、又は懸賞記事データ管理サーバ１７の懸賞記事データ保存機能部１７４に記録しておき、懸賞記事の識別情報に基づいて携帯電話装置に含まれるデータベースを用いて「マストバイ懸賞」方式か否かを検索し、又は読み取ったバーコードに含まれる懸賞記事の識別情報を懸賞サーバを介して懸賞記事データ管理サーバに送信し、懸賞記事データ管理サーバの懸賞記事データ保存機能部１７４を用いて「マストバイ懸賞」方式か否かを検索してその結果を受信して、検索結果に基づいて、ＲＦ−ＩＤタグ１２２含まれる書籍１２を固体識別するための情報を読み取るかどうかの判断を行ってもよい。バーコード読み取りとＲＦ−ＩＤ読み取りとを並行して行い、ＲＦ−ＩＤ情報をＲＡＭ等のメモリに記憶しておく場合には、検索結果に基づいてメモリからＲＦ−ＩＤ情報を読み出すかどうかの判断を行ってもよい。これらは後述する実施例２についても同様である。
【実施例２】
【０１１０】
図１０は本発明の他の実施例による街頭広告用掲示板に応用例を示す図である。図１０において、本発明の他の実施例は、街頭広告用掲示板に応用したものであり、図２〜図７に示す本発明の一実施例による書籍懸賞システムと同様の構成となっている。
【０１１１】
図１０において、街頭広告用掲示板２１は街頭に設置され、有料もしくは無料で広告スペースを貸し出す掲示板である。街頭広告用掲示板２１にはＲＦ−ＩＤタグ２１１が貼り付けられている。ＲＦ−ＩＤタグ２１１には、掲示板の設置場所識別情報（掲示板提供者が割り振ったコード等）が記録されている。
【０１１２】
広告用ポスター２２は街頭広告用掲示板２１に掲示して広告を行うためのポスターである。広告用ポスター２２にはバーコード２２１が印刷されている。バーコード２２１は「ポスターの内容識別情報」及び「ＲＦ−ＩＤタグと組み合わせて利用すべきバーコードであることを示す情報」が記録されている。一般に、広告用ポスター２２は同一内容のものが複数枚作成されるが、この場合、各ポスターに印刷されたバーコード２２１は同一のものとなる。
【０１１３】
ＲＦ−ＩＤタグ２１１の街頭広告用掲示板２１への貼付位置と、バーコード２２１の広告用ポスター２２への印刷位置とは、街頭広告用掲示板２１に広告用ポスター２２を貼り付けた際に、ＲＦ−ＩＤタグ２１１とバーコード２２１とが重なる位置になるように予め掲示板提供者とポスター作成者とにて、位置の取り決めが行われるものとする。
【０１１４】
携帯電話端末１１は上記の図４に示す携帯電話端末１１と同様の構成となっており、バーコードリーダ（バーコード読み取り機能部１１３）と、ＲＦ−ＩＤリーダ（ＲＦ−ＩＤ読み取り機能部１１４）と、携帯電話網４００を通しての通信機能（通信機能部１１５）とを備えている。
【０１１５】
ここで、携帯電話端末１１では、バーコードリーダとRF-IDリーダは、広告用ポスター２２を貼り付けた街頭広告用掲示板２１において、バーコード２２１とRF-IDタグ２１１が重ねて配置されているため、図１１に示すように近接して配設され、RF-IDリーダの軸線は、バーコードリーダの読み取り範囲に向くような角度で配設される。また、RF-IDリーダの読み取り範囲は、バーコードリーダの読み取り範囲より１ｃｍ程度（ポスターにはほとんど厚さが無いので、１ｃｍ程度に設定される）長くなるよう構成する。
【０１１６】
街頭広告用掲示板２１の前を通りかかったユーザが、掲示された広告用ポスター２２の内容に興味を持った場合、携帯電話端末１１のバーコードリーダを用いてバーコード２２１を読み取る。その際に、携帯電話端末１１は上述した本発明の一実施例と同様に、ＲＦ−ＩＤリーダにてＲＦ−ＩＤタグ２１１を自動的に読み込み、携帯電話網４００を通じてサーバ（図示せず）への問合せを行う。
【０１１７】
結果として、街頭広告用掲示板２１の設置場所情報と広告用ポスター２２の内容とを組み合わせた情報が携帯電話端末１１にダウンロードされる。
【０１１８】
具体的な例を挙げると、外食チェーン店のポスターをユーザが携帯電話端末１１にて読み取った場合、ユーザの現在位置（掲示板設置場所情報からわかる）から、最も近い外食チェーン店の店舗への案内が携帯電話端末１１のディスプレイに表示される。
【０１１９】
このように、本実施例では、ＲＦ−ＩＤタグ２１１とバーコード２２１とを、携帯電話端末１１のバーコードリーダ及びＲＦ−ＩＤリーダにて同時に読み取り可能な位置に配置しているので、ユーザは簡便な操作で求める情報を入手することができる。
【０１２０】
また、本実施例では、ＲＦ−ＩＤタグ２１１とバーコード２２１とを組み合わせて利用しているので、掲示板提供者が広告の内容とは無関係に掲示板設置場所情報を管理するだけでよく、さらに、広告用ポスター作成者はポスターの掲示場所とは無関係に、同一内容のポスターに同一のバーコードを印刷することができる。
【０１２１】
加えて、本実施例では、バーコード２２１中に「ＲＦ−ＩＤタグと組み合わせて利用すべき情報」である旨が記録されているので、すぐに、自動で、対になるＲＦ−ＩＤタグ２１１の読み取りを開始することができる。
【０１２２】
上述した第１及び第２の実施例において、バーコードリーダによる情報の読み取りとＲＦ−ＩＤリーダによる情報の読み取りとは並行して行っても、いずれか一方の情報の読み取りを先に行い、その後に他方の情報の読み取りを行ってもよい。
【０１２３】
いずれか一方の情報の読み取りを先に行い、その後に他方の情報の読み取りを行う場合、先に読み取った一方の情報に基づいて他方の情報の読み取りの必要性を判断して、他方の情報を読み取らないようにすることができる。先にバーコード情報を読み取り、その情報によりＲＦ−ＩＤタグからの情報を読み取らないようにできれば、タグリーダの電力消費を低減することができる。先にＲＦ−ＩＤタグ情報を読み取り、その情報によりバーコードからの情報を読み取らないようにできれば、バーコードリーダとしてのデジタルカメラの焦点合わせ動作を省いたり、レーザビーム装置の電力消費低減を図ることができる。
【図面の簡単な説明】
【０１２４】
【図１】本発明の実施の形態による情報処理システムの構成例を示すブロック図である。
【図２】本発明の一実施例による情報処理システムの構成を示すブロック図である。
【図３】図２の書籍の構成を示す図である。
【図４】図２の携帯電話端末の構成を示すブロック図である。
【図５】図２の懸賞サーバの構成を示すブロック図である。
【図６】図２のＰＯＳサーバの構成を示すブロック図である。
【図７】図２の懸賞記事データ管理サーバの構成を示すブロック図である。
【図８】図２の携帯電話端末の内部処理アルゴリズムを示すフローチャートである。
【図９】本発明の一実施例による書籍懸賞システムの動作を示すシーケンスチャートである。
【図１０】本発明の他の実施例による街頭広告用掲示板に応用例を示す図である。
【図１１】バーコードとＲＦ−ＩＤタグとが重ねて配置された場合のバーコードリーダ２及びＲＦ−ＩＤリーダ３の配置を示す図である。
【図１２】バーコードとＲＦ−ＩＤタグとが並置された場合のバーコードリーダ２及びＲＦ−ＩＤリーダ３の配置を示す図である。
【符号の説明】
【０１２５】
１  サービス端末
２  バーコードリーダ
３，１５ａ  ＲＦ−ＩＤリーダ
４  サービスサーバ
５  バーコード情報管理サーバ
６  ＲＦ−ＩＤ情報管理サーバ
１１  携帯電話端末
１２  書籍
１３  基地局
１４  懸賞サーバ
１５  ＰＯＳ端末
１６  ＰＯＳサーバ
１７  懸賞記事データ管理サーバ
２１  街頭広告用掲示板
２２  広告用ポスター
１００  通信路
１１１  情報処理機能部
１１２  ＵＩ機能部
１１３  バーコード読み取り機能部
１１４  ＲＦ−ＩＤ読み取り機能部
１１５  通信機能部
１２１，２２１，３０１  バーコード
１２２，２１１，３１１  ＲＦ−ＩＤタグ
１２３  表表紙
１２４  裏表紙
１２５  懸賞記事用ページ
１２６  その他のページ
１４１  携帯電話との通信機能部
１４２  購入／購入済み問合せ機能部
１４３  懸賞記事データ問合せ機能部
１４４  入力項目送信機能部
１４５  入力結果受信機能部
１４６  抽選機能部
１４７  入力結果保存機能部
１４８  他サーバとの通信機能部
１６１  未購入／購入済み問合せ応答機能部
１６２  販売管理データ更新機能部
１６３  販売管理データ追加機能部
１６４  他サーバとの通信機能部
１６５  ＰＯＳ端末との通信機能部
１６６  販売管理データ保存機能部
１７１  懸賞記事データ問合せ応答機能部
１７２  懸賞記事データ追加機能部
１７３  他サーバとの通信機能部
１７４  懸賞記事データ保存機能部
２００  ネットワーク
３００  バーコード印刷面
３１０  自動的にＲＦ−ＩＤ貼付面
４００  携帯電話網
５００  サーバ間ネットワーク
６００  ＰＯＳ専用通信網
【図１】
2005267627.tif 000003
【図２】
2005267627.tif 000004
【図３】
2005267627.tif 000005
【図４】
2005267627.tif 000006
【図５】
2005267627.tif 000007
【図６】
2005267627.tif 000008
【図７】
2005267627.tif 000009
【図８】
2005267627.tif 000010
【図９】
2005267627.tif 000011
【図１０】
2005267627.tif 000012
【図１１】
2005267627.tif 000013
【図１２】
2005267627.tif 000014